(57)【特許請求の範囲】
【請求項１】
基材の端面に接着された化粧材の長手方向に沿う余剰端部を除去する化粧材のトリミング装置であって、
所定の搬送方向に搬送される前記基材の表面縁部を案内する案内ローラと、
前記案内ローラにより前記基材の表面縁部が案内された状態で前記基材の端面に接着された前記化粧材の長手方向に沿う余剰端部を除去する回転可能なトリミングカッターと、を備え、
前記案内ローラは、円板部と、該円板部の外周側から筒状に延びて前記基材の表面縁部を案内するフランジ部と、を有し、前記トリミングカッターは、その一部が前記フランジ部の内側に位置する状態で前記化粧材の長手方向に沿う余剰端部を除去するように配されていることを特徴とする化粧材のトリミング装置。
【請求項２】
前記基材の表面には、保護フィルムが貼着されている請求項１記載の化粧材のトリミング装置。
【請求項３】
基材の端面に化粧材を接着してなる被覆製品の製造装置であって、
前記基材の端面に前記化粧材を接着する化粧材の接着装置と、
請求項１又は２に記載の化粧材のトリミング装置と、を備えることを特徴とする被覆製品の製造装置。
【請求項４】
基材の端面に化粧材を接着してなる被覆製品の製造方法であって、
前記基材の端面に前記化粧材を接着する化粧材の接着工程と、
請求項１又は２に記載の化粧材のトリミング装置を用いて、前記基材の端面に接着された前記化粧材の長手方向に沿う余剰端部を除去する化粧材のトリミング工程と、を備えることを特徴とする被覆製品の製造方法。
【発明の詳細な説明】
【技術分野】
【０００１】
本発明は、化粧材のトリミング装置、被覆製品の製造装置及び製造方法に関し、さらに詳しくは、化粧材の長手方向に沿う余剰部分を高精度に除去することができる化粧材のトリミング装置、被覆製品の製造装置及び製造方法に関する。
【背景技術】
【０００２】
従来より、基材の端面に化粧材を接着してなる被覆製品の製造装置（「エッジバインダ」とも称される。）が一般に知られている（例えば、特許文献１参照）。この被覆製品の製造装置では、基材の端面に接着された化粧材の長手方向に沿う余剰部分を除去するトリミング装置を採用している。このトリミング装置１０５は、例えば、図２６に示すように、所定の搬送方向に搬送される基材１０８の表面を案内する案内ローラ１３１と、この案内ローラ１３１により案内される基材１０８に接着された化粧材１０９の長手方向に沿う上縁側及び下縁側の余剰端部を除去する回転可能なトリミングカッター１２９と、を備えている。そして、トリミングカッター１２９は、案内ローラ１３１から基材１０８の横幅方向に離間した状態で化粧材１０９の長手方向に沿う余剰部分を除去するように配されている。
【先行技術文献】
【特許文献】
【０００３】
【特許文献１】特開平０８−９０５０４号公報
【発明の概要】
【発明が解決しようとする課題】
【０００４】
しかし、上記従来のトリミング装置１０５では、トリミングカッター１２９は、案内ローラ１３１から基材１０８の横幅方向に離間した状態で化粧材１０９の長手方向に沿う余剰部分を除去するように配されているので、案内ローラ１３１は、基材１０８の表面縁部（すなわち、基材の表面縁の際部）から内側に離間した表面部分を案内することとなる。そのため、トリミングカッター１２９の長期使用により基材１０８にかかる負荷が大きくなると、例えば、図２７中に仮想線で示すように、基材１０８の端部が反り返るように変形し易くなる。このような変形が生じた際には、化粧材１０９の長手方向に沿う余剰部分を高精度に除去できない。
【０００５】
また、表面保護のために保護フィルムを表面に貼着してなる基材を採用する場合には、上記従来のトリミング装置では、化粧材の長手方向の余剰部分を除去する際に、風圧等の影響で基材の表面から保護フィルムの表面縁部が浮き上がり、それら基材の表面と保護フィルムとの隙間に切削屑等の異物が入り込んでしまう。その結果、被覆製品の見栄えが低下してしまう。
【０００６】
本発明は、上記現状に鑑みてなされたものであり、化粧材の長手方向に沿う余剰部分を高精度に除去することができる化粧材のトリミング装置、被覆製品の製造装置及び製造方法を提供することを目的とする。
【課題を解決するための手段】
【０００７】
上記問題を解決するために、請求項１に記載の発明は、基材の端面に接着された化粧材の長手方向に沿う余剰端部を除去する化粧材のトリミング装置であって、所定の搬送方向に搬送される前記基材の表面縁部を案内する案内ローラと、前記案内ローラにより前記基材の表面縁部が案内された状態で前記基材の端面に接着された前記化粧材の長手方向に沿う余剰端部を除去する回転可能なトリミングカッターと、を備え、前記案内ローラは、円板部と、該円板部の外周側から筒状に延びて前記基材の表面縁部を案内するフランジ部と、を有し、前記トリミングカッターは、その一部が前記フランジ部の内側に位置する状態で前記化粧材の長手方向に沿う余剰端部を除去するように配されていることを要旨とする。
請求項２に記載の発明は、請求項１記載において、前記基材の表面には、保護フィルムが貼着されていることを要旨とする。
上記問題を解決するために、請求項３に記載の発明は、基材の端面に化粧材を接着してなる被覆製品の製造装置であって、前記基材の端面に前記化粧材を接着する化粧材の接着装置と、請求項１又は２に記載の化粧材のトリミング装置と、を備えることを要旨とする。
上記問題を解決するために、請求項４に記載の発明は、基材の端面に化粧材を接着してなる被覆製品の製造方法であって、前記基材の端面に前記化粧材を接着する化粧材の接着工程と、請求項１又は２に記載の化粧材のトリミング装置を用いて、前記基材の端面に接着された前記化粧材の長手方向に沿う余剰端部を除去する化粧材のトリミング工程と、を備えることを要旨とする。
【発明の効果】
【０００８】
本発明の化粧材のトリミング装置によると、所定の搬送方向に搬送される基材の表面縁部を案内する案内ローラと、案内ローラにより基材の表面縁部が案内された状態で基材の端面に接着された化粧材の長手方向に沿う余剰端部を除去する回転可能なトリミングカッターと、を備える。そして、案内ローラは、円板部と、円板部の外周側から筒状に延びて基材の表面縁部を案内するフランジ部と、を有し、トリミングカッターは、その一部がフランジ部の内側に位置する状態で化粧材の長手方向に沿う余剰端部を除去するように配されている。これにより、案内ローラにより基材の表面縁部（すなわち、基材の表面縁の際部）が案内された状態でトリミングカッターにより化粧材の余剰部分が除去される。そのため、トリミングカッターの長期使用により基材にかかる負荷が大きくなっても基材が変形し難くなる。よって、化粧材の長手方向に沿う余剰部分を高精度に除去することができる。
さらに、前記基材の表面に、保護フィルムが貼着されている場合には、保護フィルムの浮き上がりが抑制されて化粧材の長手方向に沿う余剰部分を除去することができる。その結果、被覆製品の見栄えの低下を抑制することができる。
【０００９】
本発明の被覆製品の製造装置によると、基材の端面に化粧材を接着する化粧材の接着装置と、上述の化粧材のトリミング装置と、を備える。これにより、案内ローラにより基材の表面縁部（すなわち、基材の表面縁の際部）が案内された状態でトリミングカッターにより化粧材の余剰部分が除去される。そのため、トリミングカッターの長期使用により基材にかかる負荷が大きくなっても基材が変形し難くなる。よって、化粧材の長手方向に沿う余剰部分を高精度に除去することができる。
【００１０】
本発明の被覆製品の製造方法によると、基材の端面に化粧材を接着する化粧材の接着工程と、上述の化粧材のトリミング装置を用いて、基材の端面に接着された化粧材の長手方向に沿う余剰端部を除去する化粧材のトリミング工程と、を備える。これにより、案内ローラにより基材の表面縁部（すなわち、基材の表面縁の際部）が案内された状態でトリミングカッターにより化粧材の余剰部分が除去される。そのため、トリミングカッターの長期使用により基材にかかる負荷が大きくなっても基材が変形し難くなる。よって、化粧材の長手方向に沿う余剰部分を高精度に除去することができる。
【図面の簡単な説明】
【００１１】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係る被覆製品の製造装置の側面図である。
【図２】実施例に係る基材のミーリング装置の斜視図である。
【図３】上記基材のミーリング装置の正面図であり、（ａ）は基材の端面の切削状態を示し、（ｂ）は基材が押圧部材に当接した状態を示す。
【図４】図３のＩＶ−ＩＶ線断面図である。
【図５】図３のＶ−Ｖ線断面図であり、（ａ）は基材の端面の切削状態を示し、（ｂ）は基材の端面の非切削状態（待機状態）を示す。
【図６】実施例に係る化粧材の接着装置の斜視図である。
【図７】上記化粧材の接着装置の平面図である。
【図８】図７のＶＩＩＩ−ＶＩＩＩ線断面拡大図である。
【図９】図７のＩＸ−ＩＸ線断面拡大図である。
【図１０】図８のＸ矢視図である。
【図１１】実施例に係る化粧材のエンドカット装置の斜視図である。
【図１２】実施例に係る化粧材の第１トリミング装置の斜視図である。
【図１３】上記化粧材の第１トリミング装置の側面図である。
【図１４】図１３のＸＩＶ矢視部の拡大図である。
【図１５】上記化粧材の第１トリミング装置の作用説明図である。
【図１６】実施例に係る化粧材の第２トリミング装置の斜視図である。
【図１７】上記化粧材の第２トリミング装置の側面図である。
【図１８】上記化粧材の第２トリミング装置の要部断面図である。
【図１９】図１８のＸＩＸ矢視図である。
【図２０】上記化粧材の第２トリミング装置の作用説明図である。
【図２１】図２０の要部拡大図である。
【図２２】実施例に係るトリミングカッターの先端刃（逆リード）を説明するための説明図である。
【図２３】その他の形態の化粧材の第２トリミング装置を説明するための説明図である。
【図２４】その他の形態のトリミングカッターの先端刃（正リード）を説明するための説明図である。
【図２５】その他の形態の化粧材の接着装置を説明するための説明図である。
【図２６】従来の化粧材のトリミング装置を説明するための説明図である。
【図２７】図２６のＸＸＶＩＩ矢視部の拡大図である。
【発明を実施するための形態】
【００１２】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１３】
＜化粧材の第１トリミング装置＞
本実施形態に係る化粧材の第１トリミング装置は、基材（８）の端面（８ａ）に接着された化粧材（９）の長手方向に沿う余剰端部（Ｓ１）を除去する化粧材の第１トリミング装置（５）であって、所定の搬送方向（Ｐ）に搬送される基材の表面縁部を案内する案内ローラ（３１）と、案内ローラにより基材の表面縁部が案内された状態で基材の端面に接着された化粧材の長手方向に沿う余剰端部を除去する回転可能なトリミングカッター（２９）と、を備える（例えば、図１３及び図１４等参照）。そして、案内ローラ（３１）は、円板部（３１ａ）と、円板部の外周側から筒状に延びて基材の表面縁部を案内するフランジ部（３１ｂ）と、を有し、トリミングカッター（２９）は、その一部がフランジ部の内側に位置する状態で化粧材の長手方向に沿う余剰端部を除去するように配されている。
【００１４】
本実施形態に係る化粧材の第１トリミング装置としては、例えば、上記基材（８）の表面（８ｂ）には、保護フィルム（１１）が貼着されている形態（例えば、図１４等参照）を挙げることができる。
【００１５】
＜被覆製品の製造装置＞
本実施形態に係る被覆製品の製造装置は、基材（８）の端面（８ａ）に化粧材（９）を接着してなる被覆製品の製造装置であって、基材の端面に化粧材を接着する化粧材の接着装置（３，３’）と、上述の化粧材の第１トリミング装置（５）と、を備える（例えば、図１、図６及び図１２等参照）。
【００１６】
本実施形態に係る被覆製品の製造装置としては、例えば、化粧材（９）が接着される基材（８）の端面（８ａ）を切削する基材のミーリング装置（７０）を備える形態（例えば、図２等参照）を挙げることができる。上記基材のミーリング装置（７０）は、所定の搬送方向（Ｐ）に搬送される基材の表面に貼着された保護フィルム（１１）の表面縁部を押圧する押圧部材（７１）と、押圧部材により保護フィルムの表面縁部が押圧された状態で基材の端面を切削する回転可能なミーリングカッター（７２）と、を備える。これにより、押圧部材により保護フィルムの表面縁部が押圧された状態でミーリングカッターにより基材の端面が切削される。そのため、保護フィルムの浮き上がりを抑制して基材の端面を切削することができる。その結果、保護フィルムと基材の表面との隙間への切削屑等の異物の入り込みが抑制されるとともに、後工程である基材及び化粧材の接着工程での基材の表面側への接着材の乗り移りが抑制される。よって、被覆製品の見栄えの低下を抑制することができる。
【００１７】
上述の形態の場合、例えば、上記押圧部材（７１）は、支持体（７３）に上下方向に移動自在に支持されるとともに、支持体に設けられた付勢手段（７５）により保護フィルムの表面縁部を押圧する方向に付勢されることができる（例えば、図３等参照）。これにより、簡易な構造により押圧部材で保護フィルムの表面縁部をより確実に押圧できる。
【００１８】
上述の形態の場合、例えば、上記押圧部材（７１）は、保護フィルム（１１）の表面縁部を押圧する押圧面（７８）と、押圧面から基材の所定の搬送方向（Ｐ）の上流側に向かって斜め上方に傾斜する傾斜面（７９）と、を備えることができる（例えば、図３等参照）。これにより、所定の搬送方向に搬送される基材が傾斜面に当接することで、押圧部材が付勢手段の付勢力に抗して変位して押圧面が保護フィルムの表面縁部に案内される。
【００１９】
本実施形態に係る被覆製品の製造装置としては、例えば、上記化粧材の接着装置（３、３’）は、所定の搬送方向（Ｐ）に搬送される基材（８）の端面（８ａ）に向かって送り出される化粧材（９）の裏面（９ａ）に接着材（１０）を塗布する塗布部（１７）と、塗布部により接着材が塗布された化粧材の裏面を基材の端面に押圧する押圧部（１８）と、を備える形態（例えば、図６等参照）を挙げることができる。これにより、塗布部と押圧部との間隔が比較的小さくなり、接着材の塗布から基材及び化粧材の接着までの時間が短くなる。その結果、基材を厳密に温度管理することなく加工コストを抑制して基材及び化粧材を接着することができる。
【００２０】
上述の形態の場合、例えば、上記塗布部（１７）は、基材（８）の端面（８ａ）の高さ（ｈ１）より大きな塗布幅（ｈ３）で化粧材（９）の裏面（９ａ）に接着材（１０）を塗布することができる（例えば、図８等参照）。これにより、比較的薄厚の化粧材を採用しても基材及び化粧材を確実に接着することができる。また、基材の表面側への接着材の乗り移りが抑制され、後工程において接着材の余剰端部を容易に除去することができる。
【００２１】
上述の形態の場合、例えば、上記塗布部（１７）は、接着材（１０）を塗布するスリット状の塗布口（２０ａ）を有する塗布ノズル（２０）と、化粧材（９）を挟んで塗布ノズルに対向して配設され且つ塗布ノズルに向かって化粧材（９）を押圧する回転可能な押圧ローラ（２１）と、を備えることができる（例えば、図８等参照）。これにより、塗布部を小型化することができる。よって、塗布部と押圧部との間隔がより短くなり、基材及び化粧材の接着性をより高めることができる。
【００２２】
本実施形態に係る被覆製品の製造装置としては、例えば、基材（８）の端面（８ａ）に接着された化粧材（９）の余剰端部（Ｓ２）を除去して面取りする化粧材の第２トリミング装置（６）を備える形態（例えば、図１６〜図１９等参照）を挙げることができる。そして、化粧材の第２トリミング装置（６）は、化粧材の余剰端部（Ｓ２）に沿って移動するトリミングヘッド（４１）を備え、トリミングヘッドは、駆動モータ（４７）と、駆動モータの駆動軸（４７ａ）に連結されて化粧材の余剰端部を除去する回転カッター（４８）と、回転カッターの軸心側に取り付けられる取付部材（４９）と、取付部材に回転カッターの軸心回りに回転自在に支持されて基材上を転動する案内部（５２）と、を備える。これにより、トリミングヘッドが化粧材の余剰端部に沿って移動する際に、案内部が基材上を転動しつつ回転カッターが化粧材の余剰端部を除去して化粧材が面取りされる。そして、案内部は、回転カッターに取り付けられた取付部材に回転カッターの軸心回りに回転自在に支持されているので、案内部と回転カッターとの軸心が正確に位置決めされる。その結果、基材に対する案内部の倣いズレを抑制して化粧材の余剰端部を正確に除去して面取りすることができる。
【００２３】
上述の形態の場合、例えば、上記トリミングヘッド（４１）は、案内部（５２）の外周面に圧接する圧接片（５７）を備えることができる（例えば、図１９等参照）を挙げることができる。これにより、圧接片が案内部の外周面に圧接することで、案内部の回転カッターとの供回りを防止できるとともに、案内部の外周面への切削屑等の異物の付着を防止することができる。
【００２４】
上述の形態の場合、例えば、上記回転カッター（４８）は、化粧材（９）の化粧面（９ｂ）の外側に向かって切削屑を送り出すような逆リードの先端刃（６２）を備えることができる（例えば、図２２等参照）。これにより、回転カッターが化粧材の余剰端部を除去する際に、化粧材の裏面側にはみ出た接着材を容易に取り去り得るとともに、バリの発生を抑制できる。
【００２５】
＜被覆製品の製造方法＞
本実施形態に係る被覆製品の製造方法は、基材（８）の端面（８ａ）に化粧材（９）を接着してなる被覆製品の製造方法であって、基材の端面に化粧材を接着する化粧材の接着工程と、上述の化粧材の第１トリミング装置（５）を用いて、基材の端面に接着された化粧材の長手方向に沿う余剰端部（Ｓ１）を除去する化粧材のトリミング工程と、を備える（例えば、図１、図６及び図１２等参照）。
【００２６】
本実施形態に係る被覆製品の製造方法としては、例えば、上述の基材のミーリング装置（７０）を用いて基材の端面を切削する基材のミーリング工程を備え、上記化粧材の接着工程は、その切削された基材の端面に化粧材を接着する形態（例えば、図２等参照）を挙げることができる。これにより、これにより、押圧部材により保護フィルムの表面縁部が押圧された状態でミーリングカッターにより基材の端面が切削される。そのため、保護フィルムの浮き上がりを抑制して基材の端面を切削することができる。その結果、保護フィルムと基材の表面との隙間への切削屑等の異物の入り込みが抑制されるとともに、後工程である基材及び化粧材の接着工程において基材の表面側への接着材の乗り移りが抑制される。よって、被覆製品の見栄えの低下を抑制することができる。
【００２７】
本実施形態に係る被覆製品の製造方法としては、例えば、上記化粧材の接着工程は、上述の化粧材の接着装置（３、３’）を用いて、所定の搬送方向（Ｐ）に搬送される基材（８）の端面（８ａ）に向かって送り出される化粧材（９）の裏面（９ａ）に接着材（１０）を塗布してから、接着材が塗布された化粧材の裏面を基材の端面に押圧する工程である形態（例えば、図６等参照）を挙げることができる。これにより、塗布部と押圧部との間隔が比較的小さくなり、接着材の塗布から基材及び化粧材の接着までの時間が短くなる。その結果、基材を厳密に温度管理することなく加工コストを抑制して基材及び化粧材を接着することができる。
【００２８】
本実施形態に係る被覆製品の製造方法としては、例えば、上述の化粧材の第２トリミング装置（６）を用いて、基材（８）の端面（８ａ）に接着された化粧材（９）の余剰端部（Ｓ２）を除去して面取りする化粧材のトリミング工程を備える形態（例えば、図１６等参照）を挙げることができる。これにより、トリミングヘッドが化粧材の余剰端部に沿って移動する際に、案内部が基材上を転動しつつ回転カッターが化粧材の余剰端部を除去して化粧材が面取りされる。そして、案内部は、回転カッターに取り付けられた取付部材に回転カッターの軸心回りに回転自在に支持されているので、案内部と回転カッターとの軸心が正確に位置決めされる。その結果、基材に対する案内部の倣いズレを抑制して化粧材の余剰端部を正確に除去して面取りすることができる。
【００２９】
なお、上記実施形態において、上記基材（８）は、通常、平板状に形成され、化粧材（９）が接着される端面（８ａ）と、端面の上下縁から交差して延びる表裏面（８ｂ）と、を有している（例えば、図２参照）。また、上記基材としては、例えば、パーティクルボード、中質繊維板（ＭＤＦ）、木質単板、木質合板等の木製の基材を挙げることができる。さらに、樹脂製や金属製の基材としてもよい。また、上記化粧材の材質としては、例えば、メラミン樹脂、ダップ樹脂、ポリエステル樹脂等の熱硬化性樹脂を挙げることができる。また、柔軟性を有する材料からなされてもよい。また、上記化粧材は、例えば、単層構造であってもよいし、複層構造であってもよい。さらに、上記化粧材の厚さとしては、例えば、０．３〜２．０ｍｍ（好ましくは０．３〜１．２ｍｍ、特に０．３〜０．５ｍｍ）を挙げることができる。さらに、上記接着材としては、例えば、ホットメルト系接着材等を挙げることができる。
【００３０】
なお、上記実施形態で記載した各構成の括弧内の符号は、後述する実施例に記載の具体的構成との対応関係を示すものである。
【実施例】
【００３１】
以下、図面を用いて実施例により本発明を具体的に説明する。
【００３２】
（１）被覆製品の製造装置の構成
本実施例に係る被覆製品の製造装置１は、図１に示すように、以下に述べる搬送部２、基材のミーリング装置７０、化粧材の接着装置３、化粧材のエンドカット装置４、化粧材の第１トリミング装置５、及び化粧材の第２トリミング装置６（「ラウンドトリミング装置」とも称される。）を備えている。
【００３３】
なお、本実施例では、上記被覆製品として、パーティクルボード製の基材８の端面８ａにメラミン樹脂製の化粧材９を接着してなる被覆製品Ｗ（図１０参照）を例示する。この基材８の表裏面８ｂには、透明樹脂からなる保護フィルム１１が貼着されているものとする（図２参照）。
【００３４】
上記搬送部２は、図１に示すように、基材８を所定の搬送方向Ｐに搬送するものである。この搬送部２は、搬送方向Ｐに沿って周回可能に設けられるベルトコンベア１２を備えている。このベルトコンベア１２の上方には、回転可能な複数のコロ１３が搬送方向Ｐに沿って配設されている。そして、ベルトコンベア１２の周回駆動によって、ベルトコンベア１２とコロ１３との間に挟持される基材８が所定の搬送方向Ｐに搬送される。
【００３５】
なお、上記被覆製品の製造装置１の基材８の投入口側には、基材８の端面８ａが当接して搬送方向Ｐと直交する方向を位置決めするガイド部１４が設けられている（図７参照）。
【００３６】
上記基材のミーリング装置７０は、図２に示すように、化粧材９が接着される前の基材８の端面８ａを切削するものである。この基材のミーリング装置７０は、所定の搬送方向Ｐに搬送される基材８の保護フィルム１１の表面縁部を押圧する押圧部材７１と、押圧部材７１により保護フィルム１１の表面縁部が押圧された状態で基材８の端面８ａを切削するミーリングカッター７２と、を備えている。このミーリングカッター７２は、駆動モータ（図示省略）により垂直軸周りに回転可能とされている。
【００３７】
上記押圧部材７１は、図３〜図５に示すように、装置７０のベース側（図示省略）に設けられたＬ字状の支持体７３に上下方向に移動自在に支持されている。具体的には、押圧部材７１に形成された上下方向に延びる長孔７６に支持体７３に設けられた水平方向に延びる支持ピン７７が遊びをもって挿通することで、押圧部材７１が上下方向に移動自在に支持されている。また、押圧部材７１は、支持体７３と押圧部材７１との間に設けられたバネからなる付勢手段３５により保護フィルム１１の表面縁部を押圧する方向に付勢されている。そして、押圧部材７１は、基材８の保護フィルム１１の表面縁部を押圧する際には上昇位置Ａに位置する（図５（ａ）参照）とともに、基材８の保護フィルム１１の表面縁部を押圧しない際には下降位置Ｂに位置する（図５（ｂ）参照）。
【００３８】
上記押圧部材７１は、その端部７１ａが基材８の表面縁から外方に突出した状態で保護フィルム１１の表面縁部を押圧する（図４参照）。また、押圧部材７１は、保護フィルム１１の表面縁部を押圧する押圧面７８と、押圧面７８から基材８の所定の搬送方向Ｐの上流側に向かって斜め上方に傾斜する傾斜面７９と、を備えている（図３参照）。そして、所定の搬送方向Ｐに搬送される基材８が傾斜面７９に当接することで、押圧部材７１が付勢手段７５の付勢力に抗して変位して押圧面７８が保護フィルム１１の表面縁部に案内される。
【００３９】
なお、本実施例では、ミーリングカッター７２で切削可能な樹脂等の材質からなる押圧部材７１を採用するものとする。これにより、ミーリングカッター７２と押圧部材７１との相対位置を変更する場合であっても、ミーリングカッター７２が押圧部材７１を切削することで対応できる。
【００４０】
上記化粧材の接着装置３は、基材のミーリング装置７０の搬送方向Ｐの下流側に配設されている（図１参照）。この化粧材の接着装置３は、図６及び図７に示すように、基材８の端面８ａに化粧材９を接着するものである。この接着装置３は、搬送方向Ｐに搬送される基材８の端面８ａに向かって送り出される化粧材９の裏面９ａにホットメルト系接着材１０を塗布する塗布部１７と、この塗布部１７により接着材１０が塗布された化粧材９の裏面９ａを基材８の端面８ａに押圧する押圧部１８と、を備えている。
【００４１】
上記塗布部１７は、図８に示すように、基材８の端面８ａの高さｈ１（例えば、約２０ｍｍ等）より大きな塗布幅ｈ３（例えば、約２０．６ｍｍ等）で化粧材９の裏面９ａに接着材１０を塗布するスリット状の塗布口２０ａを有する塗布ノズル２０を備えている。この塗布ノズル２０は、接着材１０を収容したタンク（図示省略）に接続されている。また、塗布ノズル２０に対向する位置には、化粧材９を塗布ノズル２０に向かって押圧する回転可能な押圧ローラ２１が配設されている。この押圧ローラ２１の回転駆動により、塗布ノズル２０及び押圧ローラ２１の間に挟持された化粧材９が搬送方向Ｐに対して所定角度で傾斜する送り方向Ｑ（図７参照）に送り出される。
【００４２】
なお、図８及び図９に示すように、上記化粧材９の高さｈ２（例えば、約２２ｍｍ等）は、後述の化粧材の第１トリミング装置によるトリミング前の状態において基材８の高さｈ１及び接着材１０の塗布幅ｈ３より大きな値とされている。さらに、上記化粧材９の厚さは約０．３ｍｍとされている。また、上記塗布ノズル２０には、図１０に示すように、塗布口２０ａのスリット長さを調整するための調整部材４０がスリットの長手方向に位置調整自在に取り付けられている。
【００４３】
さらに、上記塗布部１７は、図７に示すように、化粧材９を縦置きで載置するテーブル２２と、このテーブル２２上に載置された化粧材９の裏面９ａに当接して化粧材９の送り方向Ｑと直交する方向を位置決めするガイド部２３と、が設けられている。このガイド部２３には、化粧材９を加熱する面ヒータ等の加熱部２４が設けられている。
【００４４】
上記押圧部１８は、図９に示すように、接着材１０が塗布され送り方向Ｑに送り出される化粧材９の裏面９ａを、搬送方向Ｐに搬送される基材８の端面８ａに押圧して接着する回転可能なプレスローラ２６を備えている。このプレスローラ２６は、接着材１０が基材８の端面８ａの上縁側及び下縁側から上下にはみ出るように化粧材９の裏面９ａを基材８の端面８ａに押圧する。なお、上記接着材１０のはみ出し量ｈ４は約０．３ｍｍとされている。
【００４５】
上記化粧材のエンドカット装置４は、化粧材の接着装置３の搬送方向Ｐの下流側に配設されている（図１参照）。この化粧材のエンドカット装置４は、図１１に示すように、基材８に接着された化粧材９の搬送方向Ｐの先端側及び後端側の余剰端部を除去する横軸周りに回転可能な回転カッター２８を備えている。なお、上記化粧材のエンドカット装置４では、化粧材９の余剰端部の全てが除去されずに化粧材の第２トリミング装置６で除去される余剰端部Ｓ１（図２０参照）が残っている。
【００４６】
上記化粧材の第１トリミング装置５は、化粧材のエンドカット装置４の搬送方向Ｐの下流側に配設されている（図１参照）。この化粧材の第１トリミング装置５は、図１２に示すように、基材８に接着された化粧材９の長手方向に沿う上縁側及び下縁側の余剰端部Ｓ１を除去するものである。
【００４７】
上記化粧材の第１トリミング装置５は、図１３に示すように、所定の搬送方向Ｐに搬送される基材８の保護フィルム１１の表面縁部を案内する上下側の金属製の案内ローラ３１と、案内ローラ３１により基材８の保護フィルム１１の表面縁部が案内された状態で基材８の端面８ａに接着された化粧材９の長手方向に沿う余剰端部Ｓ１を除去する上下側のトリミングカッター２９と、を備えている。これら各トリミングカッター２９は、駆動モータ３８により水平軸回りに回転可能とされている。
【００４８】
上記案内ローラ３１は、トリミングカッター２９を支持する支持体３２に対して水平軸回りに回転自在に支持されている。この案内ローラ３１は、円板部３１ａと、この円板部３１ａの外周縁から回転軸方向に筒状に延びて基材８の保護フィルム１１の表面縁部を案内するフランジ部３１ｂと、を有し、全体として有底筒状に形成されている。そして、トリミングカッター２９は、図１４に示すように、その一部がフランジ部３１ｂの内側に位置する状態で化粧材９の余剰端部Ｓ１を除去するように配されている。すなわち、トリミングカッター２９は、その一部が有底筒状の案内ローラ３１の内側に収容された状態で化粧材９の余剰端部Ｓ１を除去するように配されている。
【００４９】
なお、上記トリミングカッター２９は、化粧材９の余剰端部Ｓ１とともに、接着材１０の基材８の端面８ａの上縁側及び下縁側から上下にはみ出た部分を除去する（図１５参照）。また、トリミングカッター２９の先端刃は、後述する回転カッター４８と略同様にして、化粧材９の化粧面９ｂの外側（すなわち、化粧材９の基材８と反対側）に向かって切削屑Ｓ’を送り出すような逆リードとなっている（図２２参照）。
【００５０】
上記化粧材の第２トリミング装置６は、化粧材の第１トリミング装置５の搬送方向Ｐの下流側に配設されている（図１参照）。この化粧材の第２トリミング装置６は、図１６に示すように、基材８の端面８ａに接着された化粧材９の搬送方向Ｐの先端側及び後端側の余剰端部Ｓ２（図２０参照）を除去して面取りするものである。
【００５１】
上記化粧材の第２トリミング装置６は、図１７に示すように、化粧材９の余剰端部Ｓ２に沿って移動するトリミングヘッド４１を備えている。このトリミングヘッド４１は、スライダ４３に対して水平軸４３ａ周りに回動可能とされている。このスライダ４３は、ベース４４に対して水平方向に移動可能とされている。
【００５２】
上記トリミングヘッド４１は、図１８及び図１９に示すように、駆動モータ４７、回転カッター４８、取付部材４９及びベアリング５０を備えている。この駆動モータ４７は、トリミングヘッド４１の本体４１ａに取り付けられている。また、回転カッター４８の中心穴には、キー溝を介して駆動モータ４７の駆動軸４７ａが連結されている。そして、回転カッター４８は、トリミングヘッド４１が化粧材９の余剰端部Ｓ２に沿って移動する際に駆動モータ４７の駆動により化粧材９の余剰端部Ｓ２を除去する。また、取付部材４９は、その一端外周側が回転カッター４８の中心穴に挿着され、その他端側が回転カッター４８の軸心方向に突出している。
【００５３】
上記ベアリング５０は、取付部材４９の軸方向の一端外周側に設けられている。このベアリング５０は、内輪５１と、外輪５２（「案内部」として例示する。）と、内輪５１及び外輪５２の間に転動自在に支持された多数のボール５３と、を備えている。この内輪５１は、取付部材４９の先端フランジ４９ａと回転カッター４８の先端側に配置された環状スペーサー５４との間に挟持されている。また、外輪５２は、取付部材４９に対して回転カッター４８の軸心回りに回転自在に支持されている。そして、外輪５２は、トリミングヘッド４１が化粧材９の余剰端部Ｓ２に沿って移動する際に基材８の外周面上を転動する。なお、本実施例では、ベアリングとしてボールベアリング５０を例示したが、これに限定されず、例えば、ローラーベアリングを採用してもよい。
【００５４】
上記トリミングヘッド４１の本体４１ａには、平板状のブラケット５６が取り付けられている。このブラケット５６の先端両側には、その下端がベアリング５０の外輪５２の外周面に圧接する複数（図中２つ）の平板状の圧接片５７の上端側が取り付けられている。具体的に、圧接片５７は、長孔５８を介してブラケット５６にボルト止めされている。そして、圧接片５７は、ボルト止め位置を調節することでベアリング５０の外輪５２の外周面に対して位置調整自在とされている。
【００５５】
上記回転カッター４８は、図２１に示すように、放射状に突出する複数（図中４つ）の突起部６１ａを有する本体６１と、これら各突起部６１ａの先端側に取り付けられる超鋼製又はダイヤモンド製の先端刃６２（「チップ」とも称される。）と、を備えている。この先端刃６２は、図２２に示すように、化粧材９の化粧面９ｂの外側（すなわち、化粧材９の基材８と反対側）に向かって切削屑Ｓ’を送り出すような逆リードとなっている。すなわち、先端刃６２は、その先端面の化粧材９の化粧面９ｂ側が切削方向Ｒと反対方向に傾くように化粧材９の厚さ方向に対して鋭角θ１で傾斜して配設されている。
【００５６】
（２）被覆製品の製造方法
次に、上記構成の被覆製品の製造装置１を用いる被覆製品Ｗの製造方法について説明する。なお、本実施例では、化粧材９は、図７に示すように、テーブル２２上で加熱部２４により所定温度（例えば、２０℃等）に加熱される一方、基材８は、被覆製品の製造装置１への投入前及び投入後に何ら加熱されず、非加熱状態の基材８に対して加熱状態の化粧材９を接着するものとする。
【００５７】
先ず、ベルトコンベア１２の周回駆動により基材８が基材のミーリング装置７０まで搬送されると、図３（ｂ）に示すように、基材８の先端側が下降位置Ｂに位置する押圧部材７１の傾斜面７９に当接する。このとき、押圧部材７１は、付勢手段７５の付勢力に抗して上昇位置Ａに向かって変位される。その後、図３（ａ）及び図５（ａ）に示すように、押圧部材７１が上昇位置Ａに位置すると、押圧面７８で基材８の保護フィルム１１の表面縁部が押圧され、その状態においてミーリングカッター７２により基材８の端面８ａが切削される。
【００５８】
なお、本実施例では、上記基材８は、ベルトコンベア１２とコロ１３との間に挟持されるとともに、押圧部材７１により下方に押圧された状態で、その端面８ａがミーリングカッター７２で切削される。
【００５９】
次に、搬送方向Ｐに搬送される基材８及び送り方向Ｑに送り出される化粧材９が化粧材の接着装置３まで搬送されると、図７に示すように、塗布ノズル２０により化粧材９の裏面９ａに接着材１０が塗布される。次いで、プレスローラ２６により接着材１０が塗布された化粧材９の裏面９ａが基材８の端面８ａに押圧されて両者８、９が接着される。
【００６０】
その後、基材８及び化粧材９が化粧材のエンドカット装置４まで搬送されると、回転カッター２８により化粧材９の搬送方向Ｐの先端側及び後端側の余剰端部が除去される（図１１参照）。
【００６１】
次に、基材８及び化粧材９が化粧材の第１トリミング装置５まで搬送されると、図１３に示すように、案内ローラ３１により基材８の保護フィルム１１の表面縁部が案内された状態で、トリミングカッター２９により化粧材９の余剰端部Ｓ１が除去される。このとき、化粧材９の余剰端部Ｓ１とともに、化粧材９の裏面９ａ側にはみ出た接着材１０が取り去られる（図１５参照）。
【００６２】
次いで、基材８及び化粧材９が化粧材の第２トリミング装置６に搬送されると、トリミングヘッド４１が化粧材９の搬送方向Ｐの先端側の余剰端部Ｓ２に沿って移動してから化粧材９の搬送方向Ｐの後端側の余剰端部Ｓ２に沿って移動する（図２０参照）。このトリミングヘッド４１の移動中には、ベアリング５０の外輪５２が基材８の外周面上を転動しつつ回転カッター４８が化粧材９の余剰端部Ｓ２を除去する。このとき、化粧材９の余剰端部Ｓ２とともに化粧材９の裏面９ａ側にはみ出た接着材１０が取り去られる。その結果、基板８の外径形状に応じて化粧材９が面取りされて被覆製品Ｗ（図１６参照）が得られることとなる。
【００６３】
（３）実施例の効果
以上より、本実施例の化粧材の第１トリミング装置５によると、所定の搬送方向Ｐに搬送される基材８の表面縁部を案内する案内ローラ３１と、案内ローラ３１により基材８の表面縁部が案内された状態で基材８の端面８ａに接着された化粧材９の長手方向に沿う余剰端部Ｓ１を除去する回転可能なトリミングカッター２９と、を備える。そして、案内ローラ３１は、円板部３１ａと、円板部３１ａの外周側から筒状に延びて基材８の表面縁部を案内するフランジ部３１ｂと、を有し、トリミングカッター２９は、その一部がフランジ部３１ｂの内側に位置する状態で化粧材９の長手方向に沿う余剰端部Ｓ１を除去するように配されている。これにより、案内ローラ３１により基材８の表面縁部（すなわち、基材８の表面縁の際部）が案内された状態でトリミングカッター２９により化粧材９の余剰端部Ｓ１が除去される。そのため、トリミングカッター２９の長期使用により基材８にかかる負荷が大きくなっても基材８が変形し難くなる。よって、化粧材９の長手方向に沿う余剰端部Ｓ１を高精度に除去することができる。
【００６４】
さらに、本実施例では、基材８の表面には、保護フィルム１１が貼着されている。これにより、保護フィルム１１の浮き上がりが抑制されて化粧材９の長手方向に沿う余剰端部Ｓ１を除去することができる。その結果、被覆製品Ｗの見栄えの低下を抑制することができる。
【００６５】
また、本実施例の基材のミーリング装置７０によると、所定の搬送方向Ｐに搬送される基材８の表面８ｂに貼着された保護フィルム１１の表面縁部を押圧する押圧部材７１と、押圧部材７１により保護フィルム１１の表面縁部が押圧された状態で基材８の端面８ａを切削する回転可能なミーリングカッター７２と、を備える。そして、押圧部材７１により保護フィルム１１の表面縁部が押圧された状態でミーリングカッター７２により基材８の端面８ａが切削される。これにより、保護フィルム１１の浮き上がりを抑制して基材８の端面８ａを切削することができる。その結果、保護フィルム１１と基材８の表面８ｂとの隙間への切削屑等の異物の入り込みが抑制されるとともに、後工程である基材８及び化粧材９の接着工程において基材８の表面側への接着材１０の乗り移りが抑制される。よって、被覆製品Ｗの見栄えの低下を抑制することができる。
【００６６】
また、本実施例では、押圧部材７１は、支持体７３に上下方向に移動自在に支持されるとともに、支持体７３に設けられた付勢手段７５により保護フィルム１１の表面縁部を押圧する方向に付勢される。これにより、簡易な構造により押圧部材７１で保護フィルム１１の表面縁部をより確実に押圧できる。
【００６７】
さらに、本実施例では、押圧部材７１は、保護フィルム１１の表面縁部を押圧する押圧面７８と、押圧面７８から基材８の所定の搬送方向Ｐの上流側に向かって斜め上方に傾斜する傾斜面７９と、を備える。これにより、所定の搬送方向Ｐに搬送される基材８が傾斜面７９に当接することで、押圧部材７１が付勢手段７５の付勢力に抗して変位して押圧面７８が保護フィルム１１の表面縁部に案内される。
【００６８】
また、本実施例の化粧材の接着装置３によると、所定の搬送方向Ｐに搬送される基材８の端面８ａに向かって送り出される化粧材９の裏面９ａに接着材１０を塗布する塗布部１７と、塗布部１７により接着材が塗布された化粧材９の裏面９ａを基材８の端面８ａに押圧する押圧部１８と、を備える。これにより、塗布部１７と押圧部１８との間隔が比較的小さくなり、接着材の塗布から基材８及び化粧材９の接着までの時間が短くなる。その結果、基材８を厳密に温度管理することがなく加工コストを抑制して基材８及び化粧材９を接着することができる。
【００６９】
特に、本実施例では、ガイド部１４（図７参照）で基材８を加熱する必要がなく、ガイド部１４として効果的なガイド機能を発揮する比較的長尺のものを採用できる。これに対して、従来のようにガイド部で基材を加熱するものでは、加熱によりガイド部が変形し易く長尺のガイド部を採用し難い。
【００７０】
また、本実施例では、塗布部１７は、基材８の端面８ａの高さｈ１より大きな塗布幅ｈ３で化粧材９の裏面９ａに接着材１０を塗布するので、比較的薄厚（例えば、厚さ０．５ｍｍ以下）の化粧材９を採用しても基材８及び化粧材９を確実に接着することができる。また、基材８の表面側への接着材１０の乗り移りが抑制され、後工程において接着材１０の余剰部位を容易に除去することができる。これに対して、従来のように基材の端面に接着材を塗布して基材及び化粧材を接着するものでは、基材の表面側へ接着材が乗り移り易く、後工程における接着材の余剰端部の除去作業が煩雑となる。
【００７１】
さらに、本実施例では、塗布部１７は、接着材１０を塗布するスリット状の塗布口２０ａを有する塗布ノズル２０と、化粧材９を挟んで塗布ノズル２０に対向して配設され且つ塗布ノズル２０に向かって化粧材９を押圧する押圧ローラ２１と、を備える。これにより、塗布部１７を小型化することができる。よって、塗布部１７と押圧部１８との間隔がより短くなり、基材８及び化粧材９の接着性をより高めることができる。
【００７２】
また、本実施例の化粧材の第２トリミング装置６によると、化粧材９の余剰端部Ｓ２に沿って移動するトリミングヘッド４１を備え、トリミングヘッド４１は、駆動モータ４７と、駆動モータ４７の駆動軸４７ａに連結されて化粧材９の余剰端部Ｓ２を除去する回転カッター４８と、回転カッター４８の軸心側に取り付けられる取付部材４９と、取付部材４９に回転カッター４８の軸心回りに回転自在に支持されて基材８上を転動するベアリング５０の外輪５２と、を備える。これにより、トリミングヘッド４１が化粧材９の余剰端部Ｓ２に沿って移動する際に、ベアリングの５０外輪５２が基材８上を転動しつつ回転カッター４８が化粧材９の余剰端部Ｓ２を除去して化粧材９が面取りされる。そして、ベアリング５０の外輪５２は、回転カッター４８に取り付けられた取付部材４９に回転カッター４８の軸心回りに回転自在に支持されているので、ベアリング５０の外輪５２と回転カッター４８との軸心が正確に位置決めされる。その結果、基材８に対するベアリング５０の外輪５２の倣いズレを抑制して化粧材９の余剰端部Ｓ２を正確に除去して面取りすることができる。特に、本実施例によると、化粧材９の余剰端部Ｓ２が逆テーパ状に形成されている場合であっても化粧材９の余剰端部Ｓ２を正確に除去して面取りできる。
【００７３】
また、本実施例では、トリミングヘッド４１は、ベアリング５０の外輪５２の外周面に圧接する圧接片５７を備える。この圧接片５７がベアリング５０の外輪５２の外周面に圧接することで、ベアリング５０の外輪５２の回転カッター４８との供回りを防止できるとともに、ベアリング５０の外輪５２の外周面への切削屑等の異物の付着を防止することができる。
【００７４】
さらに、本実施例では、化粧材の第２トリミング装置６の回転カッター４８は、化粧材９の化粧面９ｂの外側に向かって切削屑を送り出すような逆リードの先端刃６２を備える。これにより、回転カッター４８が化粧材９の余剰端部Ｓ２を除去する際に、化粧材９の裏面９ａ側にはみ出た接着材を容易に取り去り得るとともに、バリの発生を抑制できる。さらに、本実施例では、化粧材の第１トリミング装置５のトリミングカッター２９の先端刃も逆リードとなっているので、回転カッター４８と略同様の作用・効果を発揮する。
【００７５】
尚、本発明においては、上記実施例に限られず、目的、用途に応じて本発明の範囲内で種々変更した実施例とすることができる。すなわち、上記実施例では、水平軸回りに回転自在に支持された案内ローラ３１を例示したが、これに限定されず、例えば、水平軸に傾斜する軸回りに回転自在に支持される案内ローラとしてもよい。この場合、上記フランジ部３１ｂは、通常、円板部３１ａの外周側からテーパ筒状に延びることとなる。
【００７６】
また、上記実施例において、案内ローラ３１の円板部３１ａに穴を形成してスポーク状等の円板部としてもよい。また、案内ローラ３１として、樹脂等の金属以外の材質からなるものを採用してもよい。
【００７７】
また、上記実施例では、基材８の表面８ｂに保護フィルム１１が積層され、案内ローラ３１で保護フィルム１１の表面縁部を案内する形態を例示したが、これに限定されず、例えば、基材８の表面８ｂに保護フィルム１１が積層されず、案内ローラ３１で基材８の表面縁部を案内するようにしてもよい。
【００７８】
また、上記実施例では、押圧部材７１を付勢する付勢手段７５としてバネを例示したが、これに限定されず、例えば、ゴム、スポンジ等の弾性体からなる付勢手段を採用したり、シリンダ等の流体機構からなる付勢手段を採用したりしてもよい。
【００７９】
また、上記実施例では、ミーリングカッター７２で切削可能な樹脂等の材質からなる押圧部材７１を例示したが、これに限定されず、例えば、ミーリングカッター７２で切削不能な金属製やセラミックス製の押圧部材としてもよい。
【００８０】
また、上記実施例では、基板８上を転動する案内部としてベアリング５０の外輪５２を例示したが、これに限定されず、取付部材４９に回転カッター４８の軸心回りに回転自在に支持される回転ローラを案内部として採用してもよい。また、例えば、図２３に示すように、ベアリング５０の外輪５２に装着される環状アダプタ６４ａ，６４ｂ，６４ｃを案内部として採用してもよい。この場合、例えば、外径ｄ１，ｄ２，ｄ３の異なる複数の環状アダプタ６４ａ，６４ｂ，６４ｃを用意しておけば、回転カッター４８の先端刃６２の劣化状況等に応じて適当な環状アダプタを選択することができる。
【００８１】
また、上記実施例では、化粧材９の化粧面９ｂの外側に向かって切削屑を送り出すような逆リードの先端刃６２を備える回転カッター４８を例示したが、これに限定されず、例えば、図２４に示すように、化粧材９の化粧面９ｂの内側（すなわち、基材８側）に向かって切削屑Ｓ’を送り出すような正リードの先端刃６２’を備える回転カッターとしてもよい。この場合、先端刃６２’は、通常、その先端面の化粧材９の裏面９ａ側が切削方向Ｒと反対方向に傾くように化粧材９の厚さ方向に対して鋭角θ２で傾斜して配設されている。
【００８２】
また、上記実施例では、化粧材９の裏面９ａに接着材１０を塗布する塗布ノズル２０を備える塗布部１７を例示したが、これに限定されず、例えば、図２５に示すように、化粧材９の裏面９ａに接着材１０を塗布する塗布ローラ３３を備える塗布部１７’としてもよい。この場合、通常、塗布ローラ３３は、接着材１０を収容した収容室３４内に臨んでいる。
【００８３】
また、上記実施例では、化粧材９を基材８の端面８ａに押圧する回転可能なプレスローラ２６を備える押圧部１８を例示したが、これに限定されず、例えば、プレスローラ２６に替えて又は加えて、化粧材９を基材８の端面８ａに押圧する固定ガイドを備える押圧部としてもよい。
【００８４】
また、上記実施例では、基材８を搬送方向Ｐに搬送するベルトコンベア１２を備える搬送部２を例示したが、これに限定されず、例えば、ローラコンベア、チェーンコンベア等の他のコンベアを備える搬送部としたり、基材を搬送方向に搬送するロボットハンドを備える搬送部としたりしてもよい。
【００８５】
また、上記実施例では、塗布ノズル２０（又は塗布ローラ３３）及び押圧ローラ２１によって化粧材９を送り方向Ｑに送り出す送出部を構成するようにしたが、これに限定されず、例えば、図２５に示すように、塗布部１７とは別に化粧材９を挟持して送り方向Ｑに送り出す回転可能な送出ローラ３６を備える送出部としてもよい。
【００８６】
また、上記実施例では、基材８の端面８ａの高さｈ１より大きな塗布幅ｈ３（塗布高さｈ３）で化粧材９の裏面９ａに接着材１０を塗布するようにしたが、これに限定されず、例えば、基材８の端面８ａの高さｈ１より小さな塗布幅で化粧材９の裏面９ａに接着材１０を塗布するようにしてもよい。
【００８７】
また、上記実施例では、加熱状態の化粧材９の裏面９ａに接着材１０を塗布するようにしたが、これに限定されず、例えば、夏場等で非加熱状態の化粧材９が比較的高温（例えば、約２０℃等）である場合には、化粧材９を強制的に加熱することなく化粧材９の裏面９ａに接着材１０を塗布するようにしてもよい。さらに、上記実施例では、非加熱状態の基材８の端面８ａに化粧材９を接着するようにしたが、これに限定されず、例えば、加熱状態の基材８の端面８ａに化粧材９を接着するようにしてもよい。
【００８８】
さらに、上記実施例では、化粧材９をエンドカット装置４によりエンドカットした後に第１トリミング装置５でトリミングするようにしたが、これに限定されず、例えば、化粧材９を第１トリミング装置５でトリミングした後にエンドカット装置４によりエンドカットするようにしてもよい。
【００８９】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００９０】
本発明は上記で詳述した実施形態に限定されず、本発明の請求項に示した範囲で様々な変形または変更が可能である。
【産業上の利用可能性】
【００９１】
基材の端面に接着された化粧材の長手方向に沿う余剰端部を除去する技術として広く利用される。特に、家具の表面材、床材、壁材、扉材、間仕切り材、カウンタ材などの建材用の被覆製品を製造する技術として好適に利用される。
【符号の説明】
【００９２】
１；被覆製品の製造装置、３，３’；化粧材の接着装置、５；化粧材の第１トリミング装置、８；基材、８ａ；端面、８ｂ；表面、９；化粧材、１１；保護フィルム、２９；トリミングカッター、３１；案内ローラ、３１ｂ；フランジ部、Ｐ；所定の搬送方向、Ｓ１；余剰端部、Ｗ；被覆製品。
【図１】
0005889850.tif 000002
【図２】
0005889850.tif 000003
【図３】
0005889850.tif 000004
【図４】
0005889850.tif 000005
【図５】
0005889850.tif 000006
【図６】
0005889850.tif 000007
【図７】
0005889850.tif 000008
【図８】
0005889850.tif 000009
【図９】
0005889850.tif 000010
【図１０】
0005889850.tif 000011
【図１１】
0005889850.tif 000012
【図１２】
0005889850.tif 000013
【図１３】
0005889850.tif 000014
【図１４】
0005889850.tif 000015
【図１５】
0005889850.tif 000016
【図１６】
0005889850.tif 000017
【図１７】
0005889850.tif 000018
【図１８】
0005889850.tif 000019
【図１９】
0005889850.tif 000020
【図２０】
0005889850.tif 000021
【図２１】
0005889850.tif 000022
【図２２】
0005889850.tif 000023
【図２３】
0005889850.tif 000024
【図２４】
0005889850.tif 000025
【図２５】
0005889850.tif 000026
【図２６】
0005889850.tif 000027
【図２７】
0005889850.tif 000028